(57)【特許請求の範囲】
【請求項１】
曲面及び前記曲面よりも外側に突出した突起部を有する容器と、
ラベル基材と、前記ラベル基材の裏面の左右方向中間部の１箇所に設けられた粘着部とを有するラベルであって、前記容器の曲面に貼り付けられ且つ前記粘着部を含む貼付領域と、前記容器に貼り付けられない非貼付領域とを有するラベルと、を備え、
前記非貼付領域が、前記貼付領域の上側に配置された上側領域と、前記貼付領域の左側に配置された左側領域と、前記貼付領域の右側に配置された右側領域と、を有し、
前記ラベル基材には、前記粘着部の左側及び右側において上下方向に延びる左切込み線及び右切込み線と、前記左切込み線の下端と右切込み線の下端に繋がって左右方向に延びる下切込み線又は前記左切込み線の上端と右切込み線の上端に繋がって左右方向に延びる上切込み線と、が形成されており、
前記左側領域及び右側領域が、前記左切込み線及び右切込み線によって前記貼付領域からそれぞれ分離されており、
前記曲面に貼り付けられた貼付領域が、前記曲面に追従して湾曲されていると共に、
前記非貼付領域のうち左側領域及び右側領域が、前記貼付領域に追従せず、略平坦状とされており、前記上側領域が、前記突起部に接触しており、
前記ラベルが、前記貼付領域の粘着部のみで前記容器に貼り付けられている、ラベル付き容器。
【請求項２】
前記下切込み線が形成される構成において、
前記非貼付領域が、前記貼付領域の下側に配置された下側領域をさらに有し、
前記下側領域が、前記下切込み線によって前記貼付領域から分離されており、
前記左側領域と右側領域が、前記下側領域を介して連結され、
前記上側領域が、前記左切込み線の上端と右切込み線の上端の間において、前記貼付領域に連結されている、請求項１に記載のラベル付き容器。
【請求項３】
前記左切込み線の上端から左右方向内側に延びる左上切込み線が形成され、前記右切込み線の上端から左右方向内側に延びる右上切込み線が形成され、
前記上側領域が、前記左上切込み線の端部と前記右上切込み線の端部の間において、前記貼付領域に連結されている、請求項２に記載のラベル付き容器。
【請求項４】
前記左切込み線、右切込み線及び下切込み線が、それぞれ独立して、直線状又は非直線状に形成されている、請求項１乃至３のいずれか一項に記載のラベル付き容器。
【発明の詳細な説明】
【技術分野】
【０００１】
本発明は、容器にラベルが貼り付けられたラベル付き容器に関する。
【背景技術】
【０００２】
飲料、菓子、化粧品、薬、洗剤、シャンプーなどの様々な内容物が容器に収納され、商品として流通している。
これらの容器には、ラベルが貼着されている。ラベルは、消費者の注意を惹くための広告宣伝的な表示媒体としてだけでなく、商品の使用説明、物品の原材料、商品名及び製造元などの表示媒体として利用されている。
特許文献１には、ラベルの上方部を容器から離した状態で、ラベルの下方部を容器の曲面に巻き付けるように湾曲させて貼り付けたラベル付き容器が開示されている（特許文献１の図５及び図６など）。
【０００３】
しかしながら、容器の曲面に沿わせてラベルを湾曲させて貼り付けると、ラベル基材が元の平坦状に戻ろうとする復元力により、経時的にラベルの貼付部分の両側端部が容器の曲面から浮き上がり、貼付されたラベルが不安定になっていく問題点がある。特に、前記容器の曲面の曲率が大きいほど、ラベル基材の復元力が大きくなるので、ラベルが曲面から浮き上がり易く、ラベル付き容器の保管・運搬中にラベルが容器から剥がれ落ちるおそれがある。また、例えば、容器の曲面よりも外側に突出した突起部が形成されている異形容器の場合、容器の曲面に沿って湾曲されたラベルが突起部によって外側に押されるため、貼付部分に負荷がかかり、ラベルが容器の曲面から浮き上がり脱落し易くなるとともに、ラベルにしわ等が生じ易くなる。
この点、特許文献１の図１８に開示されたような正面視略Ｔ字状のラベルを用いた場合には、ラベルの貼付部分の両側にラベル基材を有さないので、貼付部分に大きな復元力が加わり難くなる。
しかしながら、このような略Ｔ字状のラベルは、広告宣伝的な表示（広告宣伝表示）や広告宣伝目的でない表示（非広告宣伝表示）を施すための表示スペースが小さいという問題点がある。
特許文献１には、表示スペースの増大を図るため、剥離可能に積層された２枚のシート（第１及び第２シート）からなるラベルを用いているが、かかるラベルは、第１シートを剥離しなければ第２シートを視認できない。
【先行技術文献】
【特許文献】
【０００４】
【特許文献１】特開２０１２−１７３６７３
【発明の概要】
【発明が解決しようとする課題】
【０００５】
本発明の目的は、比較的大きな表示スペースを有しつつ、容器の曲面に貼り付けたラベルが剥がれ難いラベル付き容器を提供することである。
【課題を解決するための手段】
【０００６】
本発明のラベル付き容器は、曲面及び前記曲面よりも外側に突出した突起部を有する容器と、ラベル基材と、前記ラベル基材の裏面の左右方向中間部の１箇所に設けられた粘着部とを有するラベルであって、前記容器の曲面に貼り付けられ且つ前記粘着部を含む貼付領域と、前記容器に貼り付けられない非貼付領域とを有するラベルと、を備え、前記非貼付領域が、前記貼付領域の上側に配置された上側領域と、前記貼付領域の左側に配置された左側領域と、前記貼付領域の右側に配置された右側領域と、を有し、前記ラベル基材には、前記粘着部の左側及び右側において上下方向に延びる左切込み線及び右切込み線と、前記左切込み線の下端と右切込み線の下端に繋がって左右方向に延びる下切込み線又は前記左切込み線の上端と右切込み線の上端に繋がって左右方向に延びる上切込み線と、が形成されており、前記左側領域及び右側領域が、前記左切込み線及び右切込み線によって前記貼付領域からそれぞれ分離されており、前記曲面に貼り付けられた貼付領域が、前記曲面に追従して湾曲されていると共に、前記非貼付領域のうち左側領域及び右側領域が、前記貼付領域に追従せず、略平坦状とされており、前記上側領域が、前記突起部に接触しており、前記ラベルが、前記貼付領域の粘着部のみで前記容器に貼り付けられている。
【０００７】
本発明の好ましいラベル付き容器は、前記下切込み線が形成される構成において、前記非貼付領域が、前記貼付領域の下側に配置された下側領域をさらに有し、前記下側領域が、前記下切込み線によって前記貼付領域から分離されており、前記左側領域と右側領域が、前記下側領域を介して連結され、前記上側領域が、前記左切込み線の上端と右切込み線の上端の間において、前記貼付領域に連結されている。さらに、好ましくは、前記左切込み線の上端から左右方向内側に延びる左上切込み線が形成され、前記右切込み線の上端から左右方向内側に延びる右上切込み線が形成され、前記上側領域が、前記左上切込み線の端部と前記右上切込み線の端部の間において、前記貼付領域に連結されている。
本発明の好ましいラベル付き容器は、前記左切込み線、右切込み線及び下切込み線が、それぞれ独立して、直線状又は非直線状に形成されている。
【発明の効果】
【０００８】
本発明のラベル付き容器は、貼付領域の左右側及び上側に左側領域、右側領域及び上側領域を有するラベルが貼付領域のみで容器に貼り付けられているので、従来の略Ｔ字状のラベルに比して、表示スペースが比較的大きく、消費者の目に止まり易くなる。また、本発明のラベル付き容器は、左側領域及び右側領域が左切込み線及び右切込み線によって貼付領域から分離されているので、左側領域及び右側領域の復元力が、貼付領域の両側端部に加わらず、保管・運搬中にラベルが不用意に剥がれることを防止できる。
【図面の簡単な説明】
【０００９】
【図１】第１実施形態に係る容器の正面図。
【図２】同容器を上側から見た平面図。
【図３】同容器の突起部を回転させた状態を示す正面図。
【図４】同突起部を回転させた状態を上側から見た平面図。
【図５】第１実施形態に係るラベルの正面図。
【図６】同背面図。判りやすく図示するため、粘着部を網掛けで示している。
【図７】図５のＶＩＩ−ＶＩＩ線で切断した断面図。
【図８】図５のＶＩＩＩ−ＶＩＩＩ線で切断した断面図。
【図９】第１実施形態に係るラベル付き容器の正面図。
【図１０】同右側面図。
【図１１】図９のＸＩ−ＸＩ線で切断した断面図。
【図１２】第２実施形態の第１例に係るラベルの背面図。判りやすく図示するため、粘着部を網掛けで示している（図１３及び図１４も同様）。
【図１３】第２実施形態の第２例に係るラベルの背面図。
【図１４】第２実施形態の第３例に係るラベルの背面図。
【図１５】第３実施形態の第１例に係るラベル付き容器の右側面図。
【図１６】第３実施形態の第２例に係るラベル付き容器の右側面図。
【図１７】第３実施形態の第３例に係るラベル付き容器の右側面図。
【図１８】第３実施形態の第４例に係るラベル付き容器の右側面図。
【発明を実施するための形態】
【００１０】
以下、本発明について、図面を参照しつつ説明する。
本明細書において、方向を示す用語の「上」及び「下」は、ラベル付き容器を自立させた状態を基準として上及び下を指し、「左」及び「右」は、自立させた状態のラベル付き容器を正面から見て左及び右を指す。特に、ラベル自体は、見る方向によって上下が異なるが、ラベルの「上」及び「下」も、前述のように、そのラベルを容器に貼り付けたラベル付き容器を自立させた状態を基準としている。容器の正面は、容器の周方向の任意の方向から見た面である。図示での正面は、頭部の最大幅が表れる方向から見た面である。本明細書において、「幅」は、対象物又は対象部分の左右方向における長さをいい、「高さ」は、上下方向における長さをいう。また、「ＰＰＰ〜ＱＱＱ］という記載は、「ＰＰＰ以上ＱＱＱ以下」を意味する。
各図における構成要素の寸法などは、実際のものと異なっていることに留意されたい。
【００１１】
［第１実施形態］
本発明のラベル付き容器は、容器と、前記容器に部分的に貼り付けられたラベルと、を有する。
先ず容器及びラベルの詳細を説明した後、ラベル付き容器の詳細について説明する。
【００１２】
＜容器＞
容器Ａは、図１及び図２に示すように、曲面９１と、その曲面９１よりも外側に突出した突起部３１と、を有する。外側は、曲面９１の径外方向である。
具体的には、容器Ａは、曲面９１を有する容器本体１と、容器本体１の上方に設けられた頭部４と、前記容器本体１と頭部４の間に、突起部３１が設けられている。
容器本体１は、本体部１２と、その本体部１２の上方に設けられた連結部２と、を有する。本実施形態では、少なくとも前記連結部２の外面が曲面とされている。なお、後述するように、本体部１２が、略円錐台状、略円柱状、略楕円柱状などに形成されている場合には、本体部１２も曲面を有するが、本実施形態では、本体部１２の上方に設けられた連結部２の曲面９１にラベルが貼り付けられる。
前記本体部１２は、底面部１１を含み、その底面部１１において容器Ａは自立可能である。本体部１２の内部には、内部に内容物を収納するための収納空間と、その収納空間に連通する注出口と、が設けられている（収納空間及び注出口は不図示）。
本体部１２の外形は、内部に内容物を収納できる中空状であれば特に限定されず、図示例のような略円錐台状のほか、図示しないが、略楕円錐台状、略四角錐台状などの略錐台状；略円柱状、略楕円柱状、略四角柱状、略三角柱状などの略柱状；略瓢箪形状；略だるま形状；その他の異形状などでもよい。ここで、本明細書において、形状の「略」は、本発明の属する技術分野において許容される形状を意味する。例えば、略四角錐台状や略四角柱状などの「略」は、角部が面取りされている形状、辺の一部が僅かに膨らむ又は窪んでいる形状、辺が若干湾曲している形状などが含まれる。また、略円錐台状や略楕円錐台状、略瓢箪形状及び略だるま形状などの「略」は、円弧の一部が膨らむ又は窪んでいる形状、円弧の一部が直線又は斜線とされた形状などが含まれる。
前記本体部１２（容器本体１）に収納される内容物は、特に限定されず、例えば、液体洗剤、シャンプー、ボディソープなどのサニタリー品；消毒液などの医療用液体；液状接着剤；塗料；飲料；などが挙げられる。
【００１３】
連結部２は、中空筒状であり、頭部４と本体部１２を連結するために設けられている。連結部２は、本体部１２の上方に取り付けられている。
連結部２は、例えば、本体部１２に着脱可能に取り付けられる。なお、連結部２は、頭部４に着脱可能に取り付けられていてもよい。例えば、（ａ）連結部２と頭部４を一体的に形成し、その連結部２を本体部１２に着脱可能に取り付けることによって、頭部４が連結部２を介して本体部１２に連結されていてもよく、或いは、（ｂ）連結部２と本体部１２を一体的に形成し、その連結部２を頭部４に着脱可能に取り付けることによって、頭部４が連結部２を介して本体部１２に連結されていてもよい。図示例は、前記（ａ）の構造にて頭部４が本体部１２に取り付けられている。この場合、連結部２の本体部１２への取り付け方式は、特に限定されず、例えば、連結部２を本体部１２の注出口の内側に内嵌着する方式、連結部２を本体部１２の注出口の外側に外嵌着する方式、ヒンジを介して連結部２を本体部１２に開閉可能に取り付ける方式などが挙げられる。
例えば、図示例のように、連結部２は、本体部１２の注出口の外側に外嵌着することによって着脱可能に取り付けられる。この場合の着脱構造は、特に限定されないが、代表的にはネジ作用で取り付けることが挙げられる。ネジ作用で取り付けられる連結部２の内周面には、雄ネジ（雌ネジ）が形成され、対応する本体部１２の外周面には、雌ネジ（雄ネジ）が形成される（図示せず）。
【００１４】
連結部２は、ラベルが貼り付けられる被着面として、曲面９１を有する。この曲面９１は、容器Ａの周方向において外側に膨らんだ弧状面とされている。連結部２は、外面に曲面９１を有することを条件として、その立体形状は特に限定されない。例えば、連結部２は、略円筒状や略楕円筒状に形成され、好ましくは、図示のように、略円筒状に形成される。
前記曲面９１の曲率半径は、特に限定されないが、例えば、５ｍｍ〜４０ｍｍである。本発明によれば、前記のような比較的大きな曲率の曲面９１にラベルを貼り付けても、ラベルが剥がれ難くなる。
【００１５】
突起部３１は、側面視において、前記連結部２の曲面９１（この曲面９１は、容器本体１の曲面であって、ラベルを貼り付ける予定の被着面）よりも外側に突出した部分である。突起部３１の突出量３Ｘは、特に限定されないが、例えば、０．３ｍｍ〜５ｍｍであり、好ましくは１ｍｍ〜２．５ｍｍである。突起部３１の突出量３Ｘは、図２に示すように、突起部３１の突出頂部３ａから曲面９１までの直線長さをいう。
突起部３１は、連結部２に設けられていてもよく、或いは、頭部４に設けられていてもよい。図示例では、突起部３１は、連結部２に設けられている。
突起部３１は、連結部２の曲面９１の直上に設けられている。前記直上とは、曲面９１の上端に突起部３１の下端が接した状態、又は、曲面９１の上端の上側近傍に突起部３１の下端が位置した状態を意味する。前記上側近傍は、例えば、曲面９１の上端から突起部３１の下端まで上下方向長さが５ｍｍ以内、好ましくは３ｍｍ以内を含む。もっとも、突起部３１は、曲面９１の直上に設けられる場合に限られず、例えば、曲面９１内の一部分（好ましくは、曲面９１の上方部における曲面内）から突起部３１が突設されていてもよい。
図示例では、突起部３１は、その下端が連結部２の上側近傍に位置し且つ連結部２の曲面９１から外側に突設されている。
突起部３１は、頭部４又は連結部２に固定的に設けられていてもよく、或いは、可動的に設けられていてもよい。図示例では、突起部３１は、頭部４に可動的に設けられている。例えば、突起部３１は、周方向に回動できるように、頭部４に設けられている。
【００１６】
頭部４は、連結部２の上方に設けられている。頭部４と連結部２（容器本体１）の曲面９１の間には、前記突起部３１が設けられている。
頭部４は、連結部２よりも幅の大きい部分を有する。例えば、頭部４は、図示にように、トリガースプレー部から構成される。トリガースプレー部４は、連結部２の上面から突設された軸筒部４１と、前記軸筒部４１の周りから斜め上方に延設され且つ連結部２の上面と一体化された支持部４２と、前記軸筒部４１の上面に接し且つ前記支持部４２の上端部にヒンジ４３を介して揺動可能に連結されたトリガー本体部４４と、を有する。
トリガー本体部４４は、前記支持部４２にヒンジ４３を介して連結されたケース体４４１と、前記ケース体４４１の左右方向中間部に設けられ且つ前記軸筒部４１の上面を押圧する作用部４４２と、前記ケース体４４１の左斜め下方に延設された引き金部４４３と、前記ケース体４４１の左上方部に設けられた液噴射部４４４と、を有する。なお、特に図示しないが、ケース体４４１の内部には、軸筒部４１と液噴射部４４４に繋がるチューブが具備されており、容器本体１内の内容物が軸筒部４１からチューブを通じて液噴射部４４４から噴射される。
【００１７】
トリガー本体部４４の幅は、図１に示すように、正面視で連結部２の幅よりも大きく、図２に示すように、上面視で連結部２よりも小さい細長い長方形状である。
図１及び図２に示す容器Ａについて、トリガースプレー部４を手で握り、引き金部４４３を引き寄せても、作用部４４２にて軸筒部４１を十分に押し下げることができず、内容物は噴射されないようになっている。
一方、図３及び図４に示すように、突起部３１を軸筒部４１の周方向に回動させると、突起部３１がトリガー本体部４４のケース体４４１の下方に位置するようになる。この状態で、トリガースプレー部４を手で握り、引き金部４４３を引き寄せると、引き金部４４３と共にケース体４４１がヒンジ４３を支点にして下方に回動し、ケース体４４１の作用部４４２が軸筒部４１を下方に押し下げることによって、容器本体１内の内容物が軸筒部４１からチューブを通じて液噴射部４４４から噴射される。
つまり、トリガースプレー部４の内部には、内容物の噴出及び不噴出を切り替えるストッパー機構（その機構の詳細は説明しない）が具備されており、突起部３１は、誤って内容物を噴射しないようにするためのストッパー機構の切り替えを操作するための摘みとして機能する。
【００１８】
前記連結部２の最大幅２Ｍは、前記本体部１２の最大幅１Ｍよりも小さく、且つ、前記頭部４の最大幅４Ｍよりも小さい。
図示例のように、略円筒状の連結部２の最大幅２Ｍは、その円筒の直径に等しい。また、図示例のように、略円錐台状の本体部１２の最大幅１Ｍは、その円錐台の底面の直径に等しい。また、図示例のように、引き金部４４３を有するトリガースプレー部４の最大幅４Ｍは、図１に示す正面から見て、引き金部４４３の左下端からケース体４４１の右端までの直線長さとなる。
【００１９】
＜ラベル＞
ラベルＢは、図５乃至図８に示すように、ラベル基材５と、ラベル基材５の裏面の一部分に設けられた粘着部６と、を有する。前記ラベル基材５のうち、粘着部６を有する領域が貼付領域となり、粘着部６を有さない領域が非貼付領域となる。
前記非貼付領域は、貼付領域を基準にして、貼付領域の上側に配置された上側領域５１と、前記貼付領域の左側に配置された左側領域５２と、前記貼付領域の右側に配置された右側領域５３と、を有する。
【００２０】
ラベル基材５の正面視形状は、特に限定されず、例えば、正面視略矩形状、略三角形状、略六角形状などの略多角形状、略円形状、略楕円形状、及びこれらを組み合わせた形状などが挙げられる。矩形状は、長方形状や正方形状を含む。図示例では、ラベル基材５は、下方部が略矩形状で且つ上方部が略半円状である形状（正面視略矩形状と略円形状を組み合わせた形状）に形成されている。
ラベル基材５の大きさは、特に限定されず、容器Ａに合わせて適宜設定できる。例えば、ラベル基材５は、幅３０ｍｍ〜１５０ｍｍ、高さ３０ｍｍ〜１５０ｍｍ程度に形成される。
【００２１】
ラベル基材５は、柔軟なシート材（シート材は、一般にフィルムと呼ばれるものも含む）から形成されている。前記シート材としては、例えば、１層の樹脂層又は２層以上の樹脂層からなる合成樹脂製シート、紙、合成紙、金属蒸着シート、発泡樹脂シートなどが挙げられる。また、前記シート材は、前記各種シートの積層体などを用いてもよい。合成樹脂製シートなどの材質は特に限定されず、例えば、ポリエチレン、ポリプロピレン、環状オレフィン、ポリエチレンを含む共重合ポリマーなどのポリオレフィン系、ポリエチレンテレフタレートなどのポリエステル系、ポリアミド系、ポリスチレン系などが挙げられる。
ラベル基材５は、透明又は不透明のいずれでもよい。ラベルＢの一部分を透明にして容器Ａのデザインを透視できるようにするため、ラベル基材５は、透明なシート材を用いることが好ましく、中でも、透明な合成樹脂製シートを用いることがより好ましい。前記透明なシート材の全光線透過率は、例えば、７０％以上であり、好ましくは８０％以上であり、より好ましくは９０％以上である。前記全光線透過率は、ＪＩＳ  Ｋ  ７３６１（プラスチック−透明材料の全光線透過率の試験方法）に準拠した測定法によって測定される値をいう。
ラベル基材５の厚みは、特に限定されないが、例えば、３０μｍ〜１５０μｍ程度が好ましい。
【００２２】
ラベル基材５の裏面の一部分には、容器ＡにラベルＢを接着するための、粘着部６が設けられている。粘着部６は、例えば、ラベル基材５の左右方向中間部に設けられ、好ましくは、ラベル基材５の左右方向中央部に設けられ、より好ましくは、ラベル基材５の下方部の左右方向中間部に設けられ、さらに好ましくは、ラベル基材５の下方部の左右方向中央部に設けられている。なお、前記左右方向中央部は、左右方向における略真ん中部分を意味し、前記左右方向中間部は、左右方向における略真ん中部分又は左右方向の真ん中から左側若しくは右側にずれた部分を意味する。
前記粘着部６は、ラベル基材５の下縁５ａに至るまで設けられていてもよく、或いは、ラベル基材５の下縁５ａから離れ、下縁５ａの上方位置に設けられていてもよい。図示例では、粘着部６は、ラベル基材５の下縁５ａの上方位置に設けられている。従って、図示例では、前記非貼付領域は、貼付領域（粘着部６）を基準にして、貼付領域の上側に配置された上側領域５１と、前記貼付領域の左側に配置された左側領域５２と、前記貼付領域の右側に配置された右側領域５３と、前記貼付領域の下側に配置された下側領域５４と、からなる。
【００２３】
粘着部６は、粘着剤層６１の露出面から構成される。粘着部６の正面視形状は、特に限定されず、例えば、正面視略矩形状、略三角形状、略六角形状などの略多角形状、略円形状、略楕円形状、及びこれらを組み合わせた形状などが挙げられる。図示例では、粘着部６は、正面視略矩形状に形成されている。
粘着部６の幅は、適宜設定されるが、余りに小さいと、粘着部６にて貼り付けたラベルＢが不用意に剥がれるおそれがあり、余りに大きいと、粘着部６の全体が容器Ａの曲面９１に貼り付かない場合がある。かかる観点から、粘着部６の幅は、１０ｍｍ〜２５ｍｍが好ましい。なお、粘着部６の幅が上下方向において一定でない場合には、前記粘着部６の幅は、粘着部６の最大幅をいう。また、粘着部６の高さは、適宜設定されるが、余りに小さいと、ラベルＢが不用意に剥がれるおそれがあり、余りに大きいと、非貼付領域の上側領域５１の面積が相対的に低下する。かかる観点から、粘着部６の高さは、１０ｍｍ〜４０ｍｍが好ましい。なお、粘着部６の高さが左右方向において一定でない場合には、前記粘着部６の高さは、粘着部６の最大高さをいう。
【００２４】
粘着部６の形成方法としては、代表的には、（１）ラベル基材５の裏面のうち、粘着部６となる部分のみに粘着剤を塗布する、（２）ラベル基材５の裏面全体に粘着剤を塗布した後、粘着部６となる部分を除いて、粘着力を隠蔽するマスキング剤を塗布する、などの方法が挙げられる。
比較的簡易に粘着部６を形成できる点から、前記（２）の方法によって粘着部６を形成することが好ましい。図示例の粘着部６は、前記（２）の方法にて形成されている。
具体的には、ラベル基材５の裏面全体には、粘着剤層６１が設けられている。この粘着剤層６１の裏面のうち、粘着部６となる範囲を除いて、マスキング層６２が設けられている。マスキング層６２は、前記粘着剤層６１の粘着力を実質的に隠蔽する層である。従って、マスキング層６２が設けられた範囲は、容器Ａに対して接着できず、マスキング層６２が設けられていない範囲（粘着部６）は、粘着剤層６１の裏面が露出され、容器Ａに対して接着可能である。
【００２５】
前記粘着剤層６１を構成する粘着剤としては、感圧型粘着剤が好ましいが、感熱型粘着剤を用いることもできる。前記感圧型粘着剤は、室温で粘着力を有し且つその粘着力が長期間持続している粘着剤であり、従来公知のタックラベルで広く使用されているものである。感熱型粘着剤は、室温で粘着性を示さず、加熱することにより粘着力を発揮し且つその粘着力が長期間持続する粘着剤である。
粘着剤層６１の厚みは、特に限定されないが、例えば、１５μｍ〜３０μｍである。
前記マスキング層６２を構成するマスキング剤としては、紫外線硬化型インキなどが挙げられる。マスキング剤を粘着剤層６１の裏面の所定範囲に塗工することにより、マスキング層６２を形成できる。
マスキング層６２の厚みは、特に限定されないが、例えば、３μｍ〜２０μｍである。マスキング層６２を比較的厚く形成することにより、粘着剤の粘着力を確実に隠蔽できる。
【００２６】
なお、粘着剤層６１及びマスキング層６２は、不透明でもよいが、いずれも透明であることが好ましい。ここで、本明細書において、シート材以外の層についての「透明」の全光線透過率は、例えば、７０％以上であり、好ましくは８０％以上であり、より好ましくは９０％以上である。シート材以外の層の全光線透過率は、全光線透過率が９０％以上の合成樹脂製シートに、その層を設けたものを試験片として、ＪＩＳ  Ｋ  ７３６１（プラスチック−透明材料の全光線透過率の試験方法）に準拠した測定法によって測定される値をいう。
【００２７】
前記ラベル基材５の面内には、切込み線７１，７２が形成されている。切込み線７１，７２は、前記粘着部６を基準にして、その粘着部６の左側及び右側のそれぞれに少なくとも形成されている。切込み線は、ラベル基材５の表裏面に貫通する切断線である。従って、切込み線においてラベル基材５は２つに分断される。
粘着部６の左側の切込み線７１（以下、左切込み線７１という）は、粘着部６の左縁６ｂに沿って又はその左縁６ｂの外側近傍に形成され、粘着部６の右側の切込み線７２（以下、右切込み線７２という）は、粘着部６の右縁６ｃに沿って又はその右縁６ｃの外側近傍に形成されている。
左切込み線７１及び右切込み線７２は、それぞれ粘着部６の上縁６ｄ又はその上縁６ｄの外側近傍を基点として下方向に延設されている。左切込み線７１及び右切込み線７２は、ラベル基材５の下縁５ａに至るまで形成されていてもよく、或いは、粘着部６の下縁６ａ又はその下縁６ａの外側近傍にまで形成されていてもよい。なお、粘着部６の左縁６ｂの外側近傍は、粘着部６の左縁６ｂから左側に５ｍｍ以内（好ましくは３ｍｍ以内）の範囲をいい、粘着部６の右縁６ｃの外側近傍は、粘着部６の右縁６ｃから右側に５ｍｍ以内（好ましくは３ｍｍ以内）の範囲をいい、粘着部６の上縁６ｄの外側近傍は、粘着部６の上縁６ｄから上側に５ｍｍ以内（好ましくは３ｍｍ以内）の範囲をいい、粘着部６の下縁６ａの外側近傍は、粘着部６の下縁６ａから下側に５ｍｍ以内（好ましくは３ｍｍ以内）の範囲をいう。
また、左切込み線７１及び右切込み線７２は、それぞれ独立して、直線状に形成されていてもよく、或いは、湾曲状、屈曲状、波状などの非直線状に形成されていてもよい。
図示例では、左切込み線７１は、粘着部６の左縁６ｂの外側近傍において、粘着部６の上縁６ｄの外側近傍から粘着部６の下縁６ａの外側近傍にまで上下方向に延びる直線状に形成されている。また、右切込み線７２は、粘着部６の右縁６ｃの外側近傍において、粘着部６の上縁６ｄの外側近傍から粘着部６の下縁６ａの外側近傍にまで上下方向に延びる直線状に形成されている。
左切込み線７１及び右込み線７２が粘着部６の外側近傍にまで形成されている（換言すると、左切込み線７１の上端部及び右込み線７２の上端部が、粘着部６の上縁６ｄを越え、その上縁６ｄよりも上側に延設されている）ことによって、粘着部６から独立した左側領域５２及び右側領域５３の可動性が高くなり、また、上側領域５１も貼付領域の影響を受けにくくなる。
【００２８】
さらに、本実施形態では、下切込み線７３も形成されている。下切込み線７３は、左右方向に延び、前記左切込み線７１の下端と右切込み線７２の下端に連設されている。下切込み線７３は、直線状に形成されていてもよく、或いは、湾曲状、屈曲状、波状などの非直線状に形成されていてもよい。図示例では、下切込み線７３は、粘着部６の下縁６ａの外側近傍において、左切込み線７１の下端と右切込み線７２の下端に繋がって左右方向に延びる直線状に形成されている。
【００２９】
前記粘着部６（貼付領域）を基準にして、その左側に配置された左側領域５２は、前記左切込み線７１の形成によって貼付領域から分離されている。同様に、前記粘着部６（貼付領域）の右側に配置された右側領域５３は、前記右切込み線７２の形成によって貼付領域から分離されている。前記粘着部６（貼付領域）の下側に配置された下側領域５４は、前記下切込み線７３の形成によって貼付領域から分離されている。従って、左側領域５２、右側領域５３及び下側領域５４は、それぞれ貼付領域から独立している。
なお、左側領域５２と右側領域５３とは下側領域５４を介して繋がっているため、左側領域５２と右側領域５３とは互いに独立した動きをし難くなり、容器ＡにラベルＢを貼り付けた際にラベルに一体感が醸し出される。
一方、粘着部６（貼付領域）の上側に配置された上側領域５１は、貼付領域に連結されている。
【００３０】
ラベル基材５には、必要に応じて、様々な表示が施される。前記表示は、貼付領域及び非貼付領域それぞれの全部又は一部に施される。前記表示を貼付領域と非貼付領域に跨って施すことにより、容器ＡにラベルＢを貼り付けた際に切込み線７１，７２が目立ちにくく、ラベルＢの外観も良好となる。
前記表示は、ラベル基材５の少なくとも表面側から視認できるように印刷などの手段によって施される。表示は、特に限定されず、広告宣伝表示や、商品の使用説明、物品の原材料、商品名及び製造元などの非広告宣伝表示が挙げられる。
【００３１】
＜ラベル付き容器＞
本発明のラベル付き容器Ｃは、図９乃至図１１に示すように、上記容器Ａと、前記容器Ａに貼り付けられたラベルＢと、を有する。
ラベルＢは、粘着部６を介して、容器Ａの連結部２の曲面９１に貼り付けられている。粘着部６にて貼り付けられたラベルＢは、図１１に示すように、貼付領域が連結部２の曲面９１に追従して周方向に湾曲されている。一方、左側領域５２、右側領域５３及び下側領域５４は、左切込み線７１、右切込み線７２及び下切込み線７３によって貼付領域からそれぞれ分離されているので、（貼付領域に追従して湾曲することなく）ラベル基材５の剛性によって略平坦状となっている。
また、上側領域５１の幅は貼付領域の幅よりも十分に大きいので、上側領域５１は、全体的にほとんど周方向に湾曲せず、容器Ａから離れて略平坦状に立ち上がっている。さらに、連結部２の上方には、連結部２の曲面９１から突出した突起部３１が形成されているので、上側領域５１の裏面は、突起部３１の突出頂部３ａに接触している。このように突起部３１に当たった上側領域５１は、側面視において若干外側に押し出されて斜めに立ち上がるが、貼付領域への負荷の影響は小さく、正面から見ると、上側領域５１は、略平坦状となっている。
【００３２】
本発明のラベル付き容器Ｃは、そのラベルＢが貼付領域の左右側及び上側に左側領域５２、右側領域５３及び上側領域５１を有するので、ラベルＢの表示スペースが大きく、それらの領域に様々な表示を施すことにより、目立ち易くなる。
従来のように、左側領域及び右側領域も含めて曲面に貼り付けられたラベルは、ラベル基材の復元力によって両側から剥がれ易くなる。また、一般に、上側領域が突起部に接して外側（外側は、曲面から離れる側）に押し出された状態で貼付されたラベルは、貼付領域に負荷がかかる。
この点、本発明のラベル付き容器Ｃは、貼付領域と左側領域５２及び右側領域５３とが分離されているので、曲面９１に貼り付けた貼付領域が湾曲しても、左側領域５２及び右側領域５３は湾曲せず、貼付領域の両側端部に、左側領域５２及び右側領域５３の復元力（左側領域５２及び右側領域５３が平坦状に戻ろうとする応力）が加わることがない。それ故、上側領域５１に負荷がかかっていても、貼付領域が連結部２の曲面９１から剥がれ難く、引いては、保管・運搬中にラベルＢが剥がれ難いラベル付き容器Ｃを提供できる。
特に、本体部１２の最大幅及び頭部４の最大幅よりも小さい連結部２は、その曲面９１の曲率が比較的大きく、このような曲面に従来のラベルを貼り付けると復元力によって剥がれ易くなるところ、本発明のラベルＡによれば、比較的曲率の大きい曲面９１に貼り付けても、不用意な剥離を防止できる。
【００３３】
さらに、一般に、ラベルの一部の領域である上側領域が突起部にて外側に押し出されると、ラベル基材に歪が生じ、その歪みが貼付領域と非貼付領域の周辺に皺（波状の筋）を生じさせるが、本発明では、左側領域５２及び右側領域５３とが貼付領域から独立されているので、前記皺が生じ難くなる。
【００３４】
［第２実施形態］
本発明は、上記第１実施形態に限られず、適宜設計変更することができる。以下、本発明の他の実施形態を説明するが、上記第１実施形態と同様の構成については、説明を省略し、用語及び符号を援用する場合がある。
【００３５】
上記第１実施形態のラベルＢは、左切込み線７１及び右切込み線７２がそれぞれ粘着部６の下縁６ａの外側近傍にまで形成され且つ下切込み線７３が左切込み線７１と右切込み線７２に連設されているが、例えば、図１２に示すように、左切込み線７１及び右切込み線７２がそれぞれラベル基材５の下縁５ａにまで形成されていてもよい。この場合、粘着部６は、図１２のように、ラベル基材５の下縁５ａにまで設けられていてもよく、或いは、ラベル基材５の下縁５ａよりも上方位置にまで設けられていてもよい。
また、図１３に示すように、左切込み線７１の上端から左右方向内側に延びる上切込み線７４が形成されていてもよい。また、右切込み線７２の上端から左右方向内側に延びる上切込み線７５が形成されていてもよい。前記上切込み線７４，７５を形成することにより、貼付領域と上側領域５１とが繋がっている部分の幅が小さくなり、ラベルＢの貼付領域を容器Ａの曲面９１に貼り付けた際に、上側領域５１の湾曲を可及的に抑制できる。
なお、上切込み線７４，７５は、それぞれ独立して、図示のように左右方向に延設されていてもよく、或いは、上側に向かうに従って互いに近づくように傾斜して延設されていてもよい（図示せず）。また、切れ防止のため、上切込み線７４，７５の端部に、Ｕ字状などの返し切込み線を形成してもよい（図示せず）。なお、図５などに示す左切込み線７１や右切込み線７２の端部に、返し切込み線を適宜形成してもよい。
さらに、上記第１実施形態では、上側領域５１が貼付領域に繋がっているが、例えば、図１４に示すように、上側領域５１が貼付領域から分離されて独立していてもよい。具体的には、粘着部６の上縁６ｄ又は上縁６ｄの外側近傍において、左右方向に延びる上切込み線７６が形成されている。この上切込み線７６は、左切込み線７１の上端と右切込み線７２の上端に繋がって左右方向に延びる直線状に形成されている。
本実施形態の各ラベルＢにおいても、左側領域５２及び右側領域５３が貼付領域（粘着部６）から独立し、ラベルＢの貼付領域を容器Ａの曲面９１に貼り付けた際に、左側領域５２及び右側領域５３が貼付領域に追従することなく略平坦状となる。
【００３６】
［第３実施形態］
上記第１実施形態では、ラベルＢを貼り付ける容器として、トリガー付き容器を例示したが、これに限定されず、曲面及び前記曲面よりも外側に突出した突起部を有する容器の前記曲面にラベルＢが貼り付けられていればよい。
例えば、図１５に示すような、曲面９２を有する頭部４に突起部３２が設けられている容器Ａを用いてもよい。この容器Ａは、容器本体１と、容器本体１の上方に設けられた頭部４と、を有する。容器本体１は、内部に収納空間を有し、その外形は、水平断面視略円形状である。頭部４は、容器本体１に取り付けられ且つ容器本体１の注出口に連通する開口部を有する取付け部４５と、取付け部４５に着脱可能に取り付けられ且つ前記開口部を塞ぐキャップ部４６と、を有する。前記頭部４の外周面には、曲面９２（ラベルを貼り付ける予定の被着面）が形成されている。例えば、頭部４の外形は、略円柱状である。キャップ部４６は、ヒンジ４７を介して取付け部４５に連結され、前記ヒンジ４７と反対側には、曲面９２から外側に突出した指掛け部４８が形成されている。この指掛け部４８は、キャップ部４６を開ける際に指を引っ掛ける部分である。この指掛け部４８は、側面視において、曲面９２よりも外側に突出しており、突起部３２に相当する。
かかる容器Ａの曲面９２にラベルＢの貼付領域を貼り付けることにより、貼付領域が曲面９２に追従して周方向に湾曲され、左側領域及び右側領域５３が略平坦状となり、上側領域５１が突起部３２に接して外側に押し出される。かかるラベル付き容器Ｃも、上記第１実施形態と同様な効果を奏する。
【００３７】
また、図１６に示すような容器Ａを用いてもよい。
この容器Ａは、曲面９３（ラベルを貼り付ける予定の被着面）を有する容器本体１と、容器本体１の上方に設けられた頭部４と、を有する。容器本体１は、内部に収納空間を有し、その外形は、略円柱状である。頭部４は、容器本体１に取り付けられ且つ容器本体１の注出口を開閉するキャップ部として機能する。この頭部４（キャップ部）は、例えば、容器本体１にネジ作用で取り付けられる。頭部４の外形は、例えば、略円柱状である。前記頭部４は、突起部３３を有する。例えば、頭部４の周長は、容器本体１の周長よりも大きく、図１６に示すように、側面視において、頭部４の下端部４ａは、容器本体１の曲面９３よりも外側に突出している。この外側に突出した頭部４の下端部４ａが、突起部３３に相当する。
かかる容器Ａの曲面９３にラベルＢの貼付領域を貼り付けることにより、同図のように、貼付領域が曲面９３に追従して周方向に湾曲され、左側領域及び右側領域５３が略平坦状となり、上側領域５１が突起部３３に接して外側に押し出される。かかるラベル付き容器Ｃも、上記第１実施形態と同様な効果を奏する。
【００３８】
また、図１７に示すようなボトル型の容器Ａを用いてもよい。
この容器Ａは、曲面９４（ラベルを貼り付ける予定の被着面）及び突起部３４を有する容器本体１と、容器本体１の上方に設けられた頭部４と、を有する。容器本体１は、内部に収納空間を有し、その外形は、水平断面略円形状である。頭部４は、容器本体１の注出口を開閉するキャップ部として機能する。容器本体１は、周方向において内側に凹んだ帯状凹み部４９を有し、その帯状凹み部４９の外周面が、曲面９４とされている。帯状凹み部４９の上方には、その凹みと相対的に外側に突出しており、この突出した部分は、側面視において、前記帯状凹み部４９の外周面（曲面９４）よりも外側に突出しており、突起部３４に相当する。
かかる容器Ａの曲面９４にラベルＢの貼付領域を貼り付けることにより、同図のように、貼付領域が曲面９４に追従して周方向に湾曲され、左側領域及び右側領域５３が略平坦状となり、上側領域５１が突起部３４に接して外側に押し出される。かかるラベル付き容器Ｃも、上記第１実施形態と同様な効果を奏する。
【００３９】
また、図１８に示すようなフランジ付きの容器Ａを用いてもよい。
この容器Ａは、曲面９５（ラベルを貼り付ける予定の被着面）及び突起部３５を有する容器本体１と、容器本体１の上方に設けられた蓋８と、を有する。容器本体１は、内部に収納空間を有し、その外形は、水平断面略円形状である。容器本体１の外周面は、曲面９５とされている。容器本体１の上端には、外側に突出したフランジ部１９が形成されている。このフランジ部１９は、側面視において、前記容器本体１の外周面（曲面９５）よりも外側に突出しており、突起部３５に相当する。また、前記フランジ部１９には、例えば、シート状の蓋８が貼着されている。
かかる容器Ａの曲面９５にラベルＢの貼付領域を貼り付けることにより、同図のように、貼付領域が曲面９５に追従して周方向に湾曲され、左側領域及び右側領域５３が略平坦状となり、上側領域５１が突起部３５に接して外側に押し出される。かかるラベル付き容器Ｃも、上記第１実施形態と同様な効果を奏する。
【００４０】
［その他の実施形態］
上記容器Ａには、必要に応じて、従来公知の各種の表示ラベル（図示せず）が装着されていてもよい。表示ラベルとしては、熱収縮性ラベル、ストレッチラベル、タックラベル、グルーラベル、紙ラベルなどが挙げられる。このような表示ラベルが装着された容器を用いて本発明のラベル付き容器を構成する場合、ラベルＢがその表示ラベルの上から容器の曲面に貼り付けられていてもよい。つまり、表示ラベルが介在された状態で、ラベルＢが容器の曲面に貼り付けられていてもよい。
また、ラベルＢは、２層形態のラベル基材を用いて形成されていてもよい（図示せず）。この場合、上記切込み線７１，…は、２層形態のラベル基材のその２層（表層と裏層）を貫通するように形成してもよく、或いは、裏層のみに貫通されていてもよい。ただし、２層形態のラベル基材の裏層のみに切込み線を形成する場合、その裏層と表層は、貼付領域に対応する範囲において非接着とされる。
【符号の説明】
【００４１】
Ａ  容器
Ｂ  ラベル
Ｃ  ラベル付き容器
１  容器本体
２  連結部
３１  突起部
４  頭部
５  ラベル基材
５１  上側領域
５２  左側領域
５３  右側領域
６  粘着部
７１，７２  切込み線
９１  容器の曲面
【図１】
0006712133.tif 000002
【図２】
0006712133.tif 000003
【図３】
0006712133.tif 000004
【図４】
0006712133.tif 000005
【図５】
0006712133.tif 000006
【図６】
0006712133.tif 000007
【図７】
0006712133.tif 000008
【図８】
0006712133.tif 000009
【図９】
0006712133.tif 000010
【図１０】
0006712133.tif 000011
【図１１】
0006712133.tif 000012
【図１２】
0006712133.tif 000013
【図１３】
0006712133.tif 000014
【図１４】
0006712133.tif 000015
【図１５】
0006712133.tif 000016
【図１６】
0006712133.tif 000017
【図１７】
0006712133.tif 000018
【図１８】
0006712133.tif 000019